(57)【要約】【課題】不必要時には嵩張ることなく保管、搬送でき、必要時にのみ簡易砂場をベランダや庭の片隅に簡単に作ることができるようにして狭いベランダや庭を有効利用できる組立式簡易砂場槽を提供する。【解決手段】硬質芯板２ｂを被覆材２ａにより被覆した側部材２を多角形の底部材３の各縁辺にそれぞれ起伏自在に連設して各側部材２が起立状態とされたときに相隣る側部材２、２の側縁同士を連繋部材４により連結して槽体に組み立てるようにした耐水シートよりなる槽体組立用シート材１と、この槽体組立用シート材１から組み立てられた槽体の上端開口に施蓋可能な耐水シートよりなる蓋材５とよりなる。【選択図】　　　　　　図１
2004105497.tif 000002
【特許請求の範囲】
【請求項１】
硬質芯板（２ｂ）を被覆材（２ａ）により被覆した側部材（２）　を多角形の底部材（３）　の各縁辺にそれぞれ起伏自在に連設して各側部材（２）　が起立状態とされたときに相隣る側部材（２）　、（２）　の側縁同士を連繋部材（４）　により連結して槽体に組み立てるようにした耐水シートよりなる槽体組立用シート材（１）　と、この槽体組立用シート材（１）　から組み立てられた槽体の上端開口に施蓋可能な耐水シートよりなる蓋材（５）　とよりなることを特徴とする組立式砂場槽。
【請求項２】
連繋部材（４）　が、側部材（２）　の側縁に取付られているスライドファスナーである請求項１に記載の組立式簡易砂場槽。
【請求項３】
蓋材（５）　が、槽体組立用シート材（１）　の底部材（３）　と略同形同大の天面部（５ａ）の各縁辺に周枠部（５ｂ）を槽体組立用シート材（１）　から組み立てられた槽体の上端開口に施蓋可能なように連設したものである請求項１または２に記載の組立式簡易砂場槽。
【請求項４】
蓋材（５）　の周枠部（５ｂ）は、その高さが槽体組立用シート材（１）　から組み立てられた槽体の側部材（２）　の高さに近い高さで、蓋材（５）　を反転状態として載置して、槽体組立用シート材（１）　により組立てられた槽体を嵌合支持させたとき、蓋材（５）　の内面が槽体外面に密接されて槽体保護カバーとなるようにした請求項３に記載の組立式簡易砂場槽。
【発明の詳細な説明】
【０００１】
【発明の属する技術分野】
本発明は、一般家庭のベランダや庭において使用される組立式簡易砂場槽に関するものである。
【０００２】
【従来の技術】
一般家庭のベランダや庭用の砂場として、小型の砂場槽に砂を入れた簡易砂場が知られているが、従来の簡易砂場用の砂場槽として組立式のものはなく、このために冬場などの使用しない期間においても砂場槽がベランダや庭の一部を占拠することとなって、狭いベランダや庭を有効利用できないものであった。
【０００３】
【発明が解決しようとする課題】
本発明が解決しようとするところは上記のような従来の問題点を解決して、不必要時には嵩張ることなく保管、搬送でき、必要時にのみ簡易砂場をベランダや庭の片隅に簡単に作ることができるようにして狭いベランダや庭を有効利用できる組立式簡易砂場槽を提供することにある。
【０００４】
【課題を解決するための手段】
上記の課題を解決するためになされた本発明は、硬質芯板を被覆材により被覆した側部材を多角形の底部材の各縁辺にそれぞれ起伏自在に連設して各側部材が起立状態とされたときに相隣る側部材の側縁同士を連繋部材により連結して槽体に組み立てるようにした耐水シートよりなる槽体組立用シート材と、この槽体組立用シート材から組み立てられた槽体の上端開口に施蓋可能な耐水シートよりなる蓋材とよりなることを特徴とする組立式砂場槽を基本構成とする。なお、前記した連繋部材としては、側部材の側縁に取付られているスライドファスナーが組立上も形状安定性からも好ましい。また、蓋材としては、槽組立シート部材の底材と略同大同形の多角形の天面部の各縁辺より周枠部を連設した耐水シートよりなるものとするのが不使用時に折畳状態で保管管理できるので好ましく、特に、この蓋材の周枠部の高さを側部材の高さに近いものとしてこれを反転状態として床面に載置したうえ、槽体組立用シート材から組立てられた槽体を嵌合支持させたとき、この蓋材はその内面が槽体外面に密接されて槽体保護カバーとなるようにしておけば、相隣る側材間の連繋部分に隙間があっても、蓋材よりなる槽体保護カバーにより洩れを防止することができ、このため、砂場として使用しないときには簡易プールとしても利用できることとなるのでより好ましいものとなる。
【０００５】
【発明の実施の形態】
以下に、図面を参照しつつ本発明の好ましい実施の形態を示す。
１は槽体組立用シート材である。この槽体組立用シート材１は、ポリエチレン樹脂シートなどの強靱で無害な合成樹脂シートや、樹脂コーティング布地などの軟質の耐水シートよりなる多角形の底部材３の各縁辺に長方形の側部材２を折畳自在に連設したもので、各側部材２は前記した硬質芯板２ｂを底部材３と同材よりなる被覆材２ａによって被覆したものとしてある。さらに、各側部材２の両側縁には、相隣る側部材２、２を起立状態として連繋させる連繋部材４を設けてあって、不使用時には連繋部材４による連繋が解かれた状態において図４に示すように折り畳んで嵩張ることなく保管できるが、必要時には全体を延展させたうえ底部材３の各縁辺に連設されている各側部材２を起立させて起立状態としたうえ、相隣る側部材２、２を連繋部材４により連繋させれば、即座に多角形の槽体が得られるものとしてある。
【０００６】
前記した連繋部材４としては、予め側部材２の側縁に取付られているホック類や面ファスナーとしても、側部材２とは分離されているコーナー部材などとしてもよいが、予め側部材２の側縁に取付られているスライドファスナーとすれば、組立上も形状安定性からも好ましいものとなる。５は槽組立シート部材１から組立てられた槽体の上端開口を施蓋する前記した底部材３と同様の耐水シートよりなる蓋部材であって、図示する蓋部材５は槽組立シート部材１の底部材３と略同大同形の多角形の天面部５ａの各縁辺より一連の周枠部５ｂを垂設したものとして、不使用時には前記した槽組立シート部材１と同様に図４に示すように折り畳んで嵩張ることなく保管できるが、必要時には槽組立シート部材１から組立てられた槽体の上端開口に被嵌することにより簡単に施蓋できるものとしてある。なお、図において６ａ、６ｂは側部材２、２の下端と底部材３との角部に隙間が形成されないようにするため、各側部材２の内面側を覆う被覆材２ａの両側下部より外向きに設けられる張出片であって、各側部材２の両側の張出片６ａ、６ｂはその一方が隣の側部材２の内面を覆う被覆材２ａの表側に添装されてその下縁を底部材３の内面側を覆う被覆材３ａの縁辺に連結し、他方は反対隣の側部材２を同様に覆う被覆材２ａの裏側に添装されたものとしている。また、前記したような蓋部材５はその周枠部５ｂの高さが側部材２の高さに近い高さのものとして、蓋部材５を反転状態として床面に載置してその上端に形成される開口より槽組立シート部材１から組立てられた槽体を嵌合保持させれば、蓋材５の内面が槽体外面に密接されて槽体保護カバーとなるようにしてある。
【０００７】
このように構成されたものは、折畳可能な軟質の耐水シートよりなる多角形の底部材３の各縁辺に側部材２を連設してある槽体組立用シート材１は、底部材３の対角線より折り畳むことができるうえ、硬質芯板２ｂにより硬い各側部材２も底部材３との境界部より折り畳むことができ、また、蓋材５も前記した底部材３と同様に軟質の耐水シートよりなるものであるから、全体を、例えば、図４に示すように小さく折り畳むことができて嵩張ることがなく保管、搬送する。
【０００８】
しかして、簡易砂場を得たいときには、ベランダや庭の設置したいところに持ち出して槽体組立用シート材１と蓋材５とを一旦展開し、多角形の底部材３の各縁辺に連設されている側部材２を起立させて相隣る側部材２、２の側縁同士を連繋部材４により連結すれば、硬質芯板２ｂを被覆材２ａにより被覆した４角形の側部材２の多数枚を連繋した周枠部が多角形の底部材３上に起立されて即座に安定した槽体に組み立てられるから、このようにして組み立てられた槽体内部に市販の砂や人工砂の適量をそのまま或いは抗菌材を混在させたものとして入れて砂遊びをすればよい。また、砂遊び後は槽体の上端開口に耐水シートよりなる蓋材５を被嵌すれば砂入りの槽体は簡単に施蓋されるから、雨により砂が濡れたり糞害などにより砂が汚されることを的確に防ぐことができる。
【０００９】
また、蓋材５として槽体組立用シート材１の底部材３と略同形同大の天面部５ａの各縁辺に側部材２の高さに近い周枠部５ｂを組み立てられた槽体の上端開口に施蓋可能なように連設したものとしておけば、この蓋材５を反転状態として載置しておき、これに槽体組立用シート材１から組立てられた槽体を嵌合支持させることにより、蓋材５の内面が槽体外面に密接されて槽体は槽体保護カバーにより外側が覆われた二重構造となるので、内側の槽体の連繋部材４により連結されている側部材４、４間より水洩れが生ずることがあっても、蓋材５の槽体保護カバー機能によって水洩れのない水浴槽となり、夏などに水浴槽として利用することもできるものとなる。
【００１０】
【発明の効果】
本発明は以上の説明からも明らかなように、硬質芯板を被覆材により被覆した４角形の側部材を多角形の底部材の各縁辺にそれぞれ起伏自在に連設して各側部材が起立状態とされたときに相隣る側部材の側縁同士を連繋部材により連結して槽体に組み立てるようにした耐水シートよりなる槽体組立用シート材と、この槽体組立用シート材から組み立てられた槽体の上端開口に施蓋可能な耐水シートよりなる蓋材とよりなるものとしたので、不使用時には嵩張ることなく保管、搬送でき、必要な時にのみ簡易砂場をベランダや庭の片隅に簡単に作ることができるようにして狭いベランダや庭を有効利用でき、しかも、構造が簡単で安価に提供できる組立式簡易砂場槽として極めて有用なものである。
【図面の簡単な説明】
【図１】槽体組立用シート材を槽体に組み立てた状態で示す本発明の実施の形態の一部切欠斜視図である。
【図２】図１における要部を拡大して示す一部切欠斜視図である。
【図３】槽体組立用シート材より組み立てられた槽体に蓋材をかぶせた状態で示す斜視図である。
【図４】槽体組立用シート材を蓋材とともに折り畳んだ状態で示す斜視図である。
【図５】反転状態とした蓋材に槽体組立用シート材から組立てられた槽体を嵌合支持させて水浴槽とした状態で示す斜視図である。
【符号の説明】
１　　槽体組立用シート材
２　側部材
２ａ　　被覆材
２ｂ　　硬質芯板
３　　底部材
４　連繋部材
５　蓋材
５ａ　　天面部
５ｂ　周枠部
【図１】
2004105497.tif 000003
【図２】
2004105497.tif 000004
【図３】
2004105497.tif 000005
【図４】
2004105497.tif 000006
【図５】
2004105497.tif 000007